(57)【要約】【課題】テレビを壁に取り付けた際の厚みを抑えること、スピーカの振動をテレビに伝えにくくする。【解決手段】表示部を有する表示装置であって、前記表示装置の背面近傍の外縁から延び、係合孔を有し、前記係合孔を貫通して壁に固定するための取り付けネジにより前記表示装置を壁に固定する取付タブが設けられ、前記取付タブを収容する収容部を有するスピーカ部を前記取付タブと前記収容部との係合により固定する構造を有することを特徴とする表示装置。【選択図】図３
2014225749.tif 000002
【特許請求の範囲】
【請求項１】
表示部を有する表示装置であって、前記表示装置の背面近傍の外縁から延び、係合孔を有し、前記係合孔を貫通して壁に固定するための取り付けネジにより前記表示装置を壁に固定する取付タブが設けられ、
前記取付タブを収容する収容部を有するスピーカ部を前記取付タブと前記収容部との係合により固定する構造を有することを特徴とする表示装置。
【請求項２】
前記取付タブは、前記表示部と弾性体を介して結合されていることを特徴とする請求項１に記載の表示装置。
【請求項３】
前記取付タブを含めた前記表示部の重心を通り表示面に平行な鉛直線上であって表示部の上方の位置に、前記取付タブのうちの１つを設置することを特徴とする請求項１又は２に記載の表示装置。
【請求項４】
前記スピーカ部には、磁石が設けられ、前記磁石の力により前記取付タブに吸着されることを特徴とする請求項１から３までのいずれか１項に記載の表示装置。
【請求項５】
前記スピーカ部の前記収容部に第１の電気接点が設けられており、前記スピーカ部の取り付けにより前記第１の接点と接触する前記取付タブの位置に第２の電気接点が設けられていることを特徴とする請求項１から４までのいずれか１項に記載の表示装置。
【発明の詳細な説明】
【技術分野】
【０００１】
本発明は、壁に取り付けて用いる表示装置に関し、例えば、壁取り付けテレビジョン受信装置（以下、「壁取り付けテレビ」と称する。）に関する。
【背景技術】
【０００２】
近年、液晶表示技術や周辺回路技術等の発展により、テレビ受像機等が薄型・軽量に製作できるようになったため、テレビを壁に取り付けることが可能になってきた。テレビを壁に取り付ける際には、壁に取り付け金具を取り付けたうえ、テレビ本体に取り付けた取り付け金具と組み合わせて壁に取り付ける形が一般的である。図１２、図１３は、壁取り付け金具を用いた取り付け構造の一例を示す図である。壁面Ｗに取り付ける取り付け金具３０３と、テレビ３００とが、取り付け部材３０５とネジなどの固定具３０７により取り付けられている。
【０００３】
テレビを壁に取り付ける際、取り付け金具をテレビの背面に取り付けることにより正面からの見栄えを良くすることができるため、そのような構造をとるのが一般的であるが、構造上、テレビを薄型にしても取り付け金具の厚さ分だけ、テレビが壁から離れてしまい、テレビを薄型にすることのメリットが表れにくい。
【０００４】
また、テレビのスピーカにおいて生じる振動がテレビ本体を振動させるが、スピーカから大きな音を出すとテレビが大きく振動してしまい、画質や音質に悪影響を及ぼす。振動が液晶パネルの劣化をもたらす可能性もある。特に、複数のスピーカユニットを取り付けたアレイスピーカを用いた場合には、振動板の合計質量が大きく、テレビ本体に伝わる振動が大きくなりがちである。
それゆえ、例えば、下記特許文献１に記載のように、振動の悪影響を避けるため、振動する部分に弾性材料を挿入することが一般的に行われている。
【先行技術文献】
【特許文献】
【０００５】
【特許文献１】特開２００１−３０９２７７号公報
【発明の概要】
【発明が解決しようとする課題】
【０００６】
しかしながら、特許文献１のように、振動部分に弾性材料を用いると、弾性材料により支持される部分が振動しやすくなってしまうという問題がある。
例えば、スピーカボックスを、弾性材料を経由してシャーシに取り付ける場合、スピーカの振動板を振動させた反作用で振動するスピーカボックスが、弾性材料を用いない場合と比較して振動しやすくなり、音響の放射特性が劣るという問題がある。また、テレビに十分振動が伝わらないよう弾性材料をとりつけるとコスト高になるという問題もある。
本発明は、テレビを壁に取り付けた際の厚みを抑えること、スピーカの振動をテレビに伝えにくくすること、スピーカを壁に強固に取り付け、音質を改善することを目的とする。
【課題を解決するための手段】
【０００７】
本発明の一観点によれば、表示部を有する表示装置であって、前記表示装置の背面近傍の外縁から延び、係合孔を有し、前記係合孔を貫通して壁に固定するための取り付けネジにより前記表示装置を壁に固定する取付タブが設けられ、前記取付タブを収容する収容部を有するスピーカ部を前記取付タブと前記収容部との係合により固定する構造を有することを特徴とする表示装置が提供される。
【発明の効果】
【０００８】
本発明によれば、表示装置を壁に取り付けた際の厚みを抑えることができる。また、スピーカの振動を表示装置に伝えにくくなり、画像に及ぼす影響を軽減することができる。さらに、スピーカを壁に強固に取り付けることができ、音質を改善することができる。
【図面の簡単な説明】
【０００９】
【図１】本実施の形態による壁取り付けテレビの構造を示す正面図である。
【図２】本実施の形態による壁取り付けテレビの構造を示す側面図である。
【図３】本実施の形態による壁取り付けテレビの構造を示す分解斜視図である。
【図４】本実施の形態による壁取り付けテレビの構造を示す取り付け後の側面図である。
【図５】本実施の形態による壁取り付けテレビの構造を示す取り付け後の正面図である。
【図６】本実施の形態による壁取り付けテレビの構造を示す取り付け機構の詳細図である。
【図７】本実施の形態による表示装置の正面図である。
【図８Ａ】本発明の第２の実施の形態による表示装置の正面図である。
【図８Ｂ】本発明の第２の実施の形態による表示装置の取り付け方を示す分解斜視図である。
【図９】本実施の形態による壁取り付けテレビの構造を示す取り付け後の側面図である。
【図１０】スピーカ取り付け部断面を横からみた模式図である。
【図１１】本発明の第３の実施の形態にスピーカ取り付け部断面を横からみた模式図である。
【図１２】一般的な取り付け構造の一例を示す分解斜視図である。
【図１３】取り付け後の図１１の構造を示す側面図である。
【発明を実施するための形態】
【００１０】
以下、本発明の実施の形態による表示装置について、壁取り付けテレビを例にして説明する。
【００１１】
（第１の実施の形態）
図１から図６までは、本実施の形態による壁取り付けテレビの構造を示す図であり、図１は正面図、図２は側面図であり、図３は分解斜視図であり、図４は取り付け後の側面図、図５は、取り付け後の正面図である。図６は、取り付け機構の詳細図である。
【００１２】
表示部２内に表示面を有する液晶パネル部２０１を有するテレビ１には、テレビ本体の上下に、例えば鉄製の取付タブ２０２ａ・２０２ｂが設けられている。テレビ１は壁に対して取付タブをネジ２０３によりネジ止めすることによって、壁に直に取り付けることができる。取付タブ２０２ａ・２０２ｂには、例えば、スピーカ部３ａ・３ｂが取り付け可能とされており、取付タブ２０２ａ・２０２ｂにかぶせる形にスピーカ部３ａ・３ｂが取り付けられる。取付タブ２０２ａ・２０２ｂは、取り付け後には、スピーカ部３ａ・３ｂにより覆われる。スピーカ部３ａ・３ｂにはスピーカユニットが設けられ、複数のスピーカユニットを並べたスピーカアレイを構成していても良い。図２は、テレビ断面を横からみた模式図である。図２から図４までに示すように、取付タブ２０２ａ・２０２ｂにはスピーカ取り付け台座としてはめ込み機構が取り付けられており、スピーカ部３ａ・３ｂを前記はめ込み機構にはめ込んで固定する。はめ込み機構は、取付タブ２０２ａ・２０２ｂとテレビ本体との表示面の法線方向の厚さの差に略対応する厚さを有するスピーカ部３ａ・３ｂにより、図４に示すように、固定される。ここでは、スピーカ部３ａ・３ｂの取り付けにより、スピーカ部３ａ・３ｂとテレビの面とが略同一面になっている。テレビの表示手段として液晶パネルを例に説明するが、表示手段を液晶パネルに限定するものではなく、プラズマディスプレイパネルや有機ＥＬパネル等、あらゆる表示手段に応用可能であることはいうまでもない。
【００１３】
図６に示すように、はめ込み機構には、スピーカ部３（３ａ・３ｂ）のガタつきを軽減するために、取付タブ２０２上にガスケット２０４が設けられており、スピーカ部３（３ａ・３ｂ）と取付タブ２０２の機械的結合を強くしている。ガスケット２０４は、ゴム製のＯリング等で構成されても良い。すなわち、表示装置の外縁から延びる方向に係合孔を有し、係合孔を貫通して壁に固定するための取り付けネジ２０３により表示装置を壁に固定する取付タブ２０２（２０２ａ・２０２ｂ）が設けられている。そして、取付タブ２０２（２０２ａ・２０２ｂ）を収容する収容部によりスピーカ部３（３ａ・３ｂ）が固定されるようになっている。
【００１４】
スピーカ部３（３ａ・３ｂ）は、取付タブ２０２（２０２ａ・２０２ｂ）にはめ込まれるため、スピーカ部３（３ａ・３ｂ）で発生する振動は直に壁で受け止められ、テレビ本体に伝わる振動が軽減される。
【００１５】
より具体的には、スピーカボックスに付加される質量が、スピーカボックスを弾性材料経由でシャーシに固定する方法では、スピーカボックスに付加される質量がわずかであるが、上記のように、スピーカボックスを壁面に取り付けた取付タブに取り付けると最大で壁の質量分となり、スピーカの振動板を駆動する駆動力の反作用に対して十分大きくなり、壁の質量分だけ重くなるためスピーカボックスの振動が十分小さくなり、より歪の少ない再生音を得ることができる。
【００１６】
液晶パネル部２０１は、取付タブ２０２（２０２ａ・２０２ｂ）に対して弾性ブッシュ（弾性材料）２０６を経由して液晶パネル取り付けネジ２０５により取り付けられる。弾性材料２０６は取付タブ２０２（２０２ａ・２０２ｂ）と液晶パネル部２０１との機械的結合を弱め、スピーカ部３（３ａ・３ｂ）で発生した振動が液晶パネル部２０１に伝わりにくくする。従って、スピーカ部３（３ａ・３ｂ）の振動による液晶パネル部２０１やバックライト・回路基板等のきしみや異音の発生を防止できるほか、振動による液晶の劣化等を防止することができる。
従って、壁面の強度が十分でなく、音圧等により振動したとしても液晶パネル部２０１に不具合が生じる可能性を低減することができる。
【００１７】
尚、スピーカ部３（３ａ・３ｂ）を取付タブ２０２（２０２ａ・２０２ｂ）ではなく、はめ込み機構を設けたネジ２０３にはめ込む構造としても同等の効果が得られる。また、上記の例では、スピーカ部３（３ａ・３ｂ）は取付タブ２０２（２０２ａ・２０２ｂ）にはめ込まれるが、更に、固定ねじ等で取付タブ２０２（２０２ａ・２０２ｂ）に固定するようにしても良い。
【００１８】
上下に取付タブ２０２（２０２ａ・２０２ｂ）が取り付けてあるが、上下ともをスピーカ部３（３ａ・３ｂ）を取り付ける必要はなく、いずれか一方でも良い。また、スピーカの取り付けられていない化粧カバーを取り付けても良い。取付タブは、複数の取付点それぞれ個別に液晶パネル部２０１に取り付けられても良いし、複数の取付点を持つシャーシ状の取付タブとしても良い。取付タブ２０２（２０２ａ・２０２ｂ）は図では１辺に付き２個が設けられているが、２個に限らず、１辺に付き何点で固定してあっても良い。この際、図７に示すように、液晶パネル２０１及び取付タブ２０２ａ・２０２ｂを含めた表示部２の表示面に平行な鉛直線上であって表示部の上方の重心上の位置、すなわち、重心Ｐ１の真上に取付タブ２０２ｃを設置するとよい。このようにすることにより、重心の真上の取付タブ２０２ｃを最初に１点仮止めすることにより、表示部２の自重でバランスが取れ、その状態でテレビを壁に固定することにより、特別な道具を用いることなくテレビを水平に設置することができる。スピーカ部３（３ａ・３ｂ）は、液晶パネル部２０１を固定したのちに設置する。
【００１９】
以上に説明したように、本実施の形態によれば、表示装置の周囲に表示装置を壁に取り付けるための取付タブが設けられており、取付タブにスピーカ部を取り付ける構造であるため、表示装置を壁に取り付けた際の厚みを抑えることができる。
また、弾性部材を介して液晶パネルを取り付けることで、スピーカの振動を表示画面に伝えにくくなり、画像に及ぼす影響を軽減することができる。
【００２０】
（第２の実施の形態）
次に、本発明の第２の実施の形態について説明する。図８Ａは、本実施の形態による表示装置の正面図であり、図８Ｂは、図８Ａの取り付け方を示す分解斜視図である。図９は、スピーカ取り付け部断面を横からみた模式図である。図１０は、本実施の形態による壁取り付けテレビの構造を示す側面図である。ここでは、主として第１の実施の形態との相違点について詳細に説明する。
【００２１】
本実施の形態のテレビ１には、左右に取付タブ２０２が取り付けられている。取付タブ２０２にはスピーカ取り付け台座としてフック２０７とストライク２０９とが取り付けてあり、スピーカ部３には、ピボットピン３０８とキャッチ３１０とが取り付けている。
【００２２】
スピーカ部３の取り付けは、ピボットピン３０８を取付タブ２０２のフック２０７に引っかけ、ストライク２０９をキャッチ３１０に挿入する形で固定する。また、ピボットピン３０８とフック２０７とから構成されるヒンジ部付近に弾性材料２１２を設け、スピーカ部３の取付時に、ピボットピン３０８を中心とした回転運動により、弾性材料２１２が強く圧縮されることによりヒンジ部に定常的に力を加えるようにする。このようにすることにより、ピボットピン３０８やフック２０７の遊びによるガタつきやびびりを防止することができる。
【００２３】
また、ヒンジ部付近に電気接点を設けるとよい。スピーカ部３と表示部２の取り付けにかかわる位置決め精度に応じて接点位置が規定されるうえ、ヒンジ部付近に設けることにより接点圧力を高くとることができ、接触不良を低減することができる。接点は弾性材料２１２上に設けられても良い。弾性材料２１２は発砲ウレタンやゴムなどで構成されても良いが、金属バネ等を用い、接点として機能するようにしても良い。これらにより、スピーカ部３を電気的に接続する手間を省略することができ、誤接続の恐れを低減させることができる。
【００２４】
以上に説明したように、本実施の形態によれば、表示装置の周囲に表示装置を壁に取り付けるための表示部の側部に位置する取付タブが設けられており、取付タブにスピーカ部を取り付ける構造であるため、表示装置を壁に取り付けた際の厚みを抑えることができる。
また、弾性部材を介して液晶パネルを取り付けることで、スピーカの振動を表示画面に伝えにくくなり、画像に及ぼす影響を軽減することができる。
【００２５】
（第３の実施の形態）
次に、本発明の第３の実施の形態について説明する。図１１は、スピーカ取り付け部断面を横からみた模式図である。図１１に示すように、スピーカ取り付け部は、スピーカ３のマグネット３１１１の漏洩磁束で取付タブ２０２に固定される。
【００２６】
取付タブ２０２は鉄等の磁性材料で構成されており、スピーカユニット３１１を構成するマグネット３１１１の漏洩磁束によりスピーカユニット３１１と取付タブ２０２は吸着される。マグネットが取付タブ２０２側に設けられていても良い。
【００２７】
テレビの上下取付タブを使わずにテレビを床置きするスタンドがあっても良い。その場合、上下取付タブと機械的に同一の構成部品に取り付けられる構成になっていれば同等の効果が得られる。
【００２８】
以上に説明したように、本実施の形態によれば、表示装置の周囲に表示装置を壁に取り付けるための表示部の側部に位置する取付タブが設けられており、取付タブにスピーカ部をマグネットで取り付ける構造であるため、ネジ等の固定具を用いて取付タブに固定する場合と比較して部品点数を削減できるほか、表示装置を壁に取り付ける作業が簡単である。
【００２９】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００３０】
また、本発明の各構成要素は、任意に取捨選択することができ、取捨選択した構成を具備する発明も本発明に含まれるものである。
【００３１】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００３２】
また、「コンピュータシステム」は、ＷＷＷシステムを利用している場合であれば、ホームページ提供環境（あるいは表示環境）も含むものとする。
【００３３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。機能の少なくとも一部は、集積回路などのハードウェアで実現しても良い。
【００３４】
本発明は、以下の開示を含む。
（付記）
本発明は、以下の開示を含む。
（１）表示部を有する表示装置であって、前記表示装置の背面近傍の外縁から延び、係合孔を有し、前記係合孔を貫通して壁に固定するための取り付けネジにより前記表示装置を壁に固定する取付タブが設けられ、前記取付タブを収容する収容部を有するスピーカ部を前記取付タブと前記収容部との係合により固定する構造を有することを特徴とする表示装置。
（２）前記取付タブは、前記表示部と弾性体を介して結合されていることを特徴とする（１）に記載の表示装置。
（３）前記取付タブを含めた前記表示部の重心を通る表示面に平行な鉛直線上であって表示部の上方の位置に、前記取付タブのうちの１つを設置することを特徴とする（１）又は（２）に記載の表示装置。
このようにすることにより、重心の真上の取付タブを最初に１点仮止めすることにより、表示部の自重でバランスが取れ、その状態でテレビを壁に固定することにより、特別な道具を用いることなくテレビを水平に設置することができる。スピーカ部は、表示部を固定したのちに設置する。
（４）前記スピーカ部には、磁石が設けられ、前記磁石の力により前記取付タブに吸着されることを特徴とする（１）から（３）までのいずれか１に記載の表示装置。
（５）前記スピーカ部の前記収容部に第１の電気接点が設けられており、前記スピーカ部の取り付けにより前記第１の接点と接触する前記取付タブの位置に第２の電気接点が設けられていることを特徴とする（１）から（４）までのいずれか１に記載の表示装置。
ヒンジ部付近に電気接点を設けると、スピーカ部と表示部の取り付けにかかわる位置決め精度に応じて接点位置が規定されるうえ、ヒンジ部付近に設けることにより接点圧力を高くとることができ、接触不良を低減することができる。
（６）前記取付タブには前記スピーカ取り付け台座としてフックとストライクとが取り付けられており、前記スピーカ部には、ピボットピンとキャッチとが取り付けられていることを特徴とする（５）に記載の表示装置。
スピーカ部の取り付けは、ピボットピンを取付タブのフックに引っかけ、ストライクをキャッチに挿入する形で固定することで、第１・第２の接点を接触させることができるようになっている。
（７）前記取付タブと前記スピーカ部との厚さの和が、前記表示装置の厚さとなっていることを特徴とする（１）から（６）までのいずれか１に記載の表示装置。
【産業上の利用可能性】
【００３５】
本発明は、表示装置に利用可能である。
【符号の説明】
【００３６】
１…テレビ、３ａ・３ｂ…スピーカ部、２０１…液晶パネル部、２０２ａ・２０２ｂ…取付タブ、２０３…ネジ、２１２…弾性材料、３１１１…マグネット。
【図１】
2014225749.tif 000003
【図２】
2014225749.tif 000004
【図３】
2014225749.tif 000005
【図４】
2014225749.tif 000006
【図５】
2014225749.tif 000007
【図６】
2014225749.tif 000008
【図７】
2014225749.tif 000009
【図８Ａ】
2014225749.tif 000010
【図８Ｂ】
2014225749.tif 000011
【図９】
2014225749.tif 000012
【図１０】
2014225749.tif 000013
【図１１】
2014225749.tif 000014
【図１２】
2014225749.tif 000015
【図１３】
2014225749.tif 000016